(57)【要約】【課題】  遊技盤の視認可能な透過性パネルを備えた開閉枠において開閉枠を開放した場合に閉じる方向に戻りにくい開閉枠を簡単な構造で実現可能とする。【解決手段】  遊技機枠１が遊技盤４０を格納する遊技機枠本体（可動枠３）と開閉枠（パネル枠５）とを備え、開閉枠が遊技機枠本体の左側部にヒンジ７；８で片開き開閉可能に取付けられるとともに遊技盤の視認可能な透過性パネル１９を備えたパチンコ機において、ヒンジの上下方向に延びる回転中心が上から下に行くにしたがって左側から右側に徐々に斜めになる一直線に形成された。【選択図】        図１
2005185382.tif 000002
【特許請求の範囲】
【請求項１】
遊技機枠が遊技盤を格納する遊技機枠本体と開閉枠とを備え、開閉枠が遊技機枠本体の一方の側部にヒンジで片開き開閉可能に取付けられるとともに遊技盤の視認可能な透過性パネルを備えたパチンコ機において、ヒンジの上下方向に延びる回転中心が上から下に行くにしたがって一方側から他方側に徐々に斜めになる一直線に形成されたことを特徴とするパチンコ機。
【請求項２】
遊技機枠が遊技盤を格納する遊技機枠本体と開閉枠とを備え、開閉枠が遊技機枠本体の一方の側部にヒンジで片開き開閉可能に取付けられるとともに遊技盤の視認可能な透過性パネルを備えたパチンコ機において、ヒンジの上下に延びる回転中心が上から下に行くにしたがって前側から後側に徐々に斜めになる一直線に形成されたことを特徴とするパチンコ機。
【発明の詳細な説明】
【技術分野】
【０００１】
本発明は遊技盤の視認可能な透過性パネルを備えた開閉枠において開閉枠を開放した場合に閉じる方向に戻りにくい開閉枠を簡単な構造で実現可能とするパチンコ機に関する。
【背景技術】
【０００２】
パチンコ機の遊技機枠は、遊技盤の視認可能な透過性パネルを備えた開閉枠を有している。この開閉枠は、遊技盤の盤面の釘の調整時等において開放するが、開放した場合に反動等によりヒンジを回転中心として閉じる方向に戻りやすく、釘調整作業時等において邪魔になる。また、遊技機枠をホールの島と呼ばれる遊技機設置構造体に設置する場合、遊技機を載せる支持台と支持台の上方に設けられた横桟との間の空間に、遊技機枠の上端を後方に若干倒した状態、即ち、遊技機枠の上端と下端とを結ぶ中心線が鉛直線に対して後方に１〜１．５度程度傾斜した状態に設置されるので、開閉枠を開放しても閉じる方向に戻りやすくなる。特に、遊技機枠の前面に対して左前方向にほぼ９０度程度の角度しか開かないタイプのものではその傾向が顕著である。そこで、ストッパ（ラッチ機構）を備えて開閉枠を閉じないように保持したものが知られている（特許文献１）。
【特許文献１】特開２００３−２０６６６６号公報
【発明の開示】
【発明が解決しようとする課題】
【０００３】
発明が解決しようとする問題点は、遊技盤の視認可能な透過性パネルを備えた開閉枠は開放した場合に反動等によりヒンジを回転中心として閉じる方向に戻りやすく、開閉枠を閉じないように保持するラッチ機構のストッパを備えた場合には構造が複雑になり、経済的にも不利となるという点である。
【課題を解決するための手段】
【０００４】
本発明のパチンコ機は、遊技機枠が遊技盤を格納する遊技機枠本体と開閉枠とを備え、開閉枠が遊技機枠本体の一方の側部にヒンジで片開き開閉可能に取付けられるとともに遊技盤の視認可能な透過性パネルを備えたパチンコ機において、ヒンジの上下方向に延びる回転中心が上から下に行くにしたがって一方側から他方側に徐々に斜めになる一直線に形成されたことを最も特徴とする。遊技機枠が遊技盤を格納する遊技機枠本体と開閉枠とを備え、開閉枠が遊技機枠本体の一方の側部にヒンジで片開き開閉可能に取付けられるとともに遊技盤の視認可能な透過性パネルを備えたパチンコ機において、ヒンジの上下に延びる回転中心が上から下に行くにしたがって前側から後側に徐々に斜めになる一直線に形成されたことも特徴とする。
【発明の効果】
【０００５】
開閉枠のヒンジの上下方向に延びる回転中心が上から下に行くにしたがって左側から右側に徐々に斜めになる一直線に形成されたことで、開閉枠を開くと、開閉枠の右上角が開閉枠の右下角より開く方向側に位置し、開閉枠の重心が開閉枠を開く方向に向くので、開閉枠が閉じる方向に戻りにくくなる。従って、開閉枠を開放した場合に閉じる方向に戻りにくい開閉枠を簡単な構造で提供できる。開閉枠のヒンジの上下に延びる回転中心が上から下に行くにしたがって前側から後側に徐々に斜めになる一直線に形成されたことで、開閉枠を開くと、開閉枠の右上角が開閉枠の右下角より遊技機枠の前方に位置し、開閉枠の重心が遊技機枠の前方、即ち、開閉枠を開く方向に向くので、開閉枠が閉じる方向に戻りにくくなる。
【発明を実施するための最良の形態】
【０００６】
図１は第１実施形態のパチンコ機の前側からの外観を示す。パチンコ機の遊技機枠１は、パチンコ店の図外の遊技機設置構造体に取り付けるための外枠と呼ばれるような固定枠２を備える。固定枠２は前後方向に開放された縦長な長方形の空間を囲む額縁形状である。固定枠２には、前枠または中枠と呼ばれるような遊技機枠本体としての可動枠３が左側の上下のヒンジ４；４で前側横方向に片開き可能に設けられる。可動枠３は固定枠２に対しヒンジ４で着脱可能（交換可能）に取り付けられる。可動枠３は前後方向に開放された縦長な逆台形状の開口を囲む額縁形状である。可動枠３の開口には、開閉枠としてのパネル枠５および上皿構造体６が左側のヒンジ７；８；９；１０で前側横方向に片開き可能に取り付けられる。第１実施形態では、図１のように、パチンコ機の前方から見て、パネル枠５の左側部の上下ヒンジ７；８及び上皿構造体６の左側部の上下ヒンジ９；１０の上下方向に延びる回転中心が上から下に行くにしたがって左側から右側に徐々に斜めになる一直線に形成される。可動枠３の前面には、下皿構造体１１が上皿構造体６よりも下部に位置して固定される。下皿構造体１１は上皿１２の満杯で上皿１２から溢れた球を受ける下皿１３と、上皿１２で溢れた球を下皿１３に排出する球入口１４と、発射操作機構１５と、灰皿１６とを備える。図外の払出機構から払い出された球は球受樋１７を経由して上皿１２に払い出される。
【０００７】
可動枠３には、パネル枠５及び上皿構造体６の外形に対応して上述したように縦長な逆台形状の開口が形成され、この開口の縁に枠縁１８が取り付けられている。パネル枠５は前後方向に開放された逆台形状の空間を囲む額縁形状である。パネル枠５には、ガラスまたは合成樹脂からなる光透過性を有する透過性パネル１９がパネル枠５で取り囲まれた逆台形状の空間を覆う格好で取り付けられる。パネル枠５の上ヒンジ７は、パネル枠５の左上角より上方に突出するヒンジ軸２０と枠縁１８に形成されたヒンジ軸支持孔２１とで構成される。パネル枠５の下ヒンジ８は、パネル枠５の左下角より下方に突出するヒンジ軸２２と枠縁１８に形成されたヒンジ軸支持孔２３とで構成される。上皿構造体６の上ヒンジ９は、ヒンジ軸支持孔２３を通過した上記ヒンジ軸２２とこのヒンジ軸２２を支持するために上皿構造体６の左上角に設けられたヒンジ軸支持孔部２４とで形成される。上皿構造体６の下ヒンジ１０は、上皿構造体６の左下角に形成されたヒンジ軸支持孔２５と下皿構造体に形成されたヒンジ軸支持孔２６とこれらヒンジ軸支持孔２５；２６に着脱可能に嵌め込まれたヒンジピン２７とで構成される。２８はヒンジピン２７の脱落防止ばね、２９は上皿構造体６に形成された脱落防止ばねの係止部である。従って、これらパネル枠５および上皿構造体６のヒンジ７；８；９；１０の上下方向に延びる回転中心が上から下に行くにしたがって左側から右側に徐々に斜めになる一直線に形成される。即ち、図１のように、パチンコ機の前方から見て、ヒンジ７；８；９；１０の上下方向に延びる回転中心軸３１が鉛直線３２に対して左に傾斜角度θを隔てて存在する。また、パネル枠５及び上皿構造体６を逆台形状に形成することで、パネル枠５及び上皿構造体６の右辺部が上から下に行くにしたがって右側から左側に徐々に斜めになる一直線に形成され、左右バランスのとれた意匠に形成される。以上の構成により、開閉枠としてのパネル枠５を開くと、パネル枠５の右上角がパネル枠５の右下角より開く方向側に位置し、パネル枠５の重心がパネル枠５を開く方向に向くので、パネル枠５が閉じる方向に戻りにくくなる。従って、遊技盤の盤面の釘の調整時等においてパネル枠５を開放した場合、反動等によりパネル枠５が閉じる方向に戻りにくくなる。よって、パネル枠５を開放した場合に閉じる方向に戻りにくい開閉枠としてのパネル枠５を簡単な構造で提供できる。上皿構造体６についても同様の効果が得られる。
【０００８】
パネル枠５および上皿構造体６が閉じられた場合、図外のロック機構によって、開閉不能に可動枠３に支持される。可動枠３の右側部には施錠装置３５が設けられる。可動枠３やパネル枠５および上皿構造体６が閉じられてロック機構で開閉不能に支持された状態において、遊技店の店員が図外のキープレート（鍵）を遊技機枠１の前側から施錠装置３５の鍵穴３６に挿入し、当該キープレートを例えば右側に９０度回転操作すると、固定枠２と可動枠３とのロック機構による支持形態が解除される。この支持形態の解除後に、店員が可動枠３を前側に引くことによって、可動枠３はヒンジ４；４を回転中心として前側に片開きされる。上記施錠装置３５の鍵穴３６に挿入されたキープレートが例えば左側に９０度回転操作されると、可動枠３とパネル枠５とのロック機構による支持形態が解除される。この支持形態の解除後に、店員がパネル枠５を前側に引くことによって、パネル枠５はヒンジ７；８を回転中心として左前側に片開きされる。このように、パネル枠５が前側に開かれた状態において、店員が上皿構造体６の裏面に設けられた図外のロック解除操作体を操作すると、可動枠３と上皿構造体６とのロック機構による支持形態が解除される。この支持形態の解除後に、店員が上皿構造体６を前側に引くことによって、上皿構造体６はヒンジ９；１０を回転中心として左前側に片開きされる。
【０００９】
可動枠３の開口の後方には図外の遊技盤収納部が設けられ、遊技盤４０が格納保持される。遊技盤４０の前面である意匠盤面４１は透過性パネル１９を通して視認可能である。意匠盤面４１と透過性パネル１９との間には、図外の発射機構から発射された球（パチンコ球）の飛び交う遊技領域４２が、ガイドレール４３で囲まれた内側の領域として形成される。遊技領域４２における意匠盤面４１には、始動入賞部品４５、図柄表示器４６、可変入賞部品４７、アウト口４８、図外の一般入賞部品、図外の障害釘や遊技釘と呼ばれる釘が設けられる。
【００１０】
図外の制御装置が電力供給を受けて起動し、球が上皿構造体６の上皿１２に入れられた状態において、遊技者が発射操作機構１５を操作すると、発射操作機構１５が操作量に相当する電気信号としての例えば可変抵抗値を図外の発射払出制御装置に出力する。発射払出制御装置は、図外の発射機構を、可変抵抗値に応じた発射出力と例えば１分間に１００発未満の間隔とで駆動する。これによって、発射機構が上皿１２から供給された球を遊技領域４２に向けて１個ずつ発射されて遊技が行なわれる。そして、制御装置が、球の始動入賞部品４５への入賞により、当たり外れ抽選を行ない、その抽選結果により図柄表示器に当たり外れ図柄を変動表示及び停止表示し、当たり図柄で停止表示したならば、可変入賞部品４７の開閉体５０を開閉する。つまり、可変入賞部品４７の開閉体５０を所定回数または所定時間開閉する当たり遊技と呼ばれる一連の遊技が行われる。遊技領域４２に発射された球が開閉体５０の開放中に可変入賞部品４７に入賞すると、制御装置が可変入賞検出信号に基づく賞球払出信号を図外の球払出制御部に出力し、球払出制御部は球払出機構を制御し、入賞に対応する数の賞球としての球を上皿１２に払い出す。
【００１１】
図２は第２実施形態を示す。第２実施形態によれば、パネル枠５および上皿構造体６のヒンジ７；８；９；１０の上下方向に延びる回転中心が上から下に行くにしたがって前側から後側に徐々に斜めになる一直線に形成された。可動枠３は縦長な長方形の開口を取り囲む額縁状に形成される。この開口に正方形状のパネル枠５と横長な長方形状の上皿構造体６がヒンジ７；８；９；１０で左片開き可能に取り付けられる。可動枠３の額縁の上縁５１は下縁５２より前方に突出しており、この上縁５１の左端と下縁５２の左端にパネル枠５のヒンジ軸６０：６２が取り付けられる。パネル枠５は下から上に行くに従って前方に少しづつ張り出し、可動枠３の上縁５１、下縁５２、左縁５３、図外の右縁に囲まれた格好で可動枠３に保持される。パネル枠５の上ヒンジ７は、パネル枠５の左上角より上方に突出するヒンジ軸６０と可動枠の上縁５１の左端に形成されたヒンジ軸支持孔６１とで構成される。パネル枠５の下ヒンジ８は、パネル枠５の左下角より下方に突出するヒンジ軸６２と可動枠３の下縁５２に形成されたヒンジ軸支持孔６３とで構成される。上皿構造体６の上ヒンジ９は、ヒンジ軸支持孔６３を通過した上記ヒンジ軸６２とこのヒンジ軸６２を支持するために上皿構造体６の左上角に設けられたヒンジ軸支持孔部６４とで形成される。上皿構造体６の下ヒンジ１０は、上皿構造体６の左下角に形成されたヒンジ軸支持孔６５と下皿構造体に形成されたヒンジ軸支持孔６６とこれらヒンジ軸支持孔６５；６６に着脱可能に嵌め込まれたヒンジピン６７とで構成される。６８はヒンジピン６７の脱落防止ばね、６９は上皿構造体に形成された脱落防止ばねの係止部である。これらパネル枠５および上皿構造体６のヒンジ７；８；９；１０の上下方向に延びる回転中心が上から下に行くにしたがって前側から後側に徐々に斜めになる一直線に形成される。即ち、図２のように、パチンコ機の側方から見て、ヒンジ７；８；９；１０の上下方向に延びる回転中心軸７１が垂直線７２に対して左に傾斜角度θを隔てて存在する。以上の構成により、開閉枠としてのパネル枠５を開くと、パネル枠５の右上角がパネル枠５の右下角より遊技機枠１の前方に位置し、パネル枠５の重心が遊技機枠１の前方、即ち、パネル枠５を開く方向に向くので、パネル枠５が閉じる方向に戻りにくくなる。従って、遊技盤４０の釘調整時等においてパネル枠５を開放した場合、反動等によりパネル枠５が閉じる方向に戻りにくくなる。尚、遊技機枠１の前面は鉛直線７２に対して後側にほぼ１〜１．５度程度の角度で斜めになるよう遊技機設置構造体７５に設置される。従って、第２実施形態においては、傾斜角度θを遊技機枠１の設置傾斜角度（１〜１．５度程度）以上に設定することが望ましい。
【産業上の利用可能性】
【００１２】
上下方向に延びる回転中心が上から下に行くにしたがって左側から右側に徐々に斜めになる一直線に形成されたヒンジ、あるいは、上下に延びる回転中心が上から下に行くにしたがって前側から後側に徐々に斜めになる一直線に形成されたヒンジは、パネル枠５のヒンジだけでもよい。また、実施形態では、遊技機枠本体の左側部にヒンジで片開き開閉可能に取付けられたパネル枠５（開閉枠）を例にして説明したが、遊技機枠本体の右側部にヒンジで片開き開閉可能に取付けられたパネル枠（開閉枠）に本発明を適用できる。
【図面の簡単な説明】
【００１３】
【図１】パチンコ機の前面図（第１実施形態）。
【図２】パチンコ機の側面図（第２実施形態）。
【符号の説明】
【００１４】
１  遊技機枠、２  固定枠、３  可動枠（遊技機枠本体）、５  パネル枠（開閉枠）、
６  上皿構造体（開閉枠）、７；８；９；１０  ヒンジ、１９  透過性パネル、
４０  遊技盤。
【図１】
2005185382.tif 000003
【図２】
2005185382.tif 000004